(57)【要約】【課題】エレクトレット式又は誘導電荷式で静電気による不具合を防止する光量調節装置を提供する。【解決手段】シャッタ装置２１の基板２８はガラス板等の透明な部材で遮光幕３１に対向する面の光学的開口部３３と周辺部３４を除いて全面に複数の帯状電極３５が形成されている。スペーサ２９は基板２８と板状部材３２との間の間隙を維持するために設けられる。遮光幕３１は予め所望のピッチで電気的に分極されたエレクトレットが施され、このエレクトレットが基板２８の帯状電極３５によって駆動されて、遮光幕３１はスペーサ２９で囲まれる範囲内を両方向矢印Ｃで示す両方向に移動する。板状部材３２は透明のガラス板で遮光幕３１に対向する面の光学的開口部３６以外の部分を導電性塗装又は金属蒸着等の導電性を有する遮光部材３７で覆われ、端子２４が導電性接着剤で接着されている。端子２４はレンズ装置の金属シャーシに接続され、遮光幕３１に発生する静電気を金属シャーシに逃がすようにする。【選択図】      図４
2005316327.tif 000002
【特許請求の範囲】
【請求項１】
遮光幕を駆動するための帯状電極及び光学的開口部が設けられた基阪と、予め所望のピッチで電気的に分極されている遮光幕と、光学的開口部を有し前記基板との間に形成する間隙に前記遮光幕を移動可能に維持する板状部材と、を積層して構成される光量調整装置において、
前記板状部材は、前記遮光幕に対向する面が導電性を有する面であり且つ所定の電位に固定されている、
ことを特徴とする光量調節装置。
【請求項２】
前記板状部材は、前記遮光幕の少なくとも移動可能範囲に存在している、ことを特徴とする請求項１記載の光量調節装置。
【請求項３】
前記板状部材は、前記導電性を有する面が、光量調節装置が組み込まれる機器の所定の電位に接続されている、ことを特徴とする請求項１記載の光量調節装置。
【請求項４】
前記板状部材は、前記導電性を有する面が、光量調節装置が組み込まれる機器のグランドに接続されている、ことを特徴とする請求項１記載の光量調節装置。
【請求項５】
前記板状部材は、光量調節装置が組み込まれる機器の所定の電位又はグランドに接続するための接続部を有する、ことを特徴とする請求項１記載の光量調節装置。
【請求項６】
前記板状部材は、前記光学的開口部以外の面を導電性を有する遮光性部材で覆われたガラス板である、ことを特徴とする請求項１記載の光量調節装置。
【請求項７】
前記板状部材は、前記光学的開口部に透明導電性部材を設けると共に、光学的開口部以外の部分を導電性を有する遮光部材で覆われたガラス薄板である、ことを特徴とする請求項１記載の光量調節装置。
【請求項８】
前記板状部材は、前記光学的開口部を設けた遮光性の導電性樹脂シート部材である、ことを特徴とする請求項１記載の光量調節装置。
【請求項９】
前記板状部材は、前記光学的開口部を設けた金属シート部材である、ことを特徴とする請求項１記載の光量調節装置。
【請求項１０】
前記金属シート部材は、反射防止処理が施されている、ことを特徴とする請求項９記載の光量調節装置。
【請求項１１】
請求項１乃至１０のいずれかに記載の光量調節装置を光学系のシャッタ又は絞り位置に備えたことを特徴とするカメラ。
【発明の詳細な説明】
【技術分野】
【０００１】
エレクトレット型又は誘導電荷型のアクチュエータを用いて静電気により発生する不具合を防止する光量調節装置及びそれを用いたカメラに関する。
【背景技術】
【０００２】
従来、位置決め装置等の駆動原として静電アクチュエータが提案されている。このような静電アクチュエータの移動子には、永久分極された誘電体の部位を備えたエレクトレットと呼ばれる構成を備えている。（例えば、特許文献１参照。）
また、カメラのシャッタ機構のような光量調節装置の位置決め装置に誘電電荷型アクチュエータを用いる例も提案されている。そのシャッタ機構としては、１個のステータ（固定子）の片面又は両面に設けられた帯状電極の誘電電荷を移動させることで、１個又は２個のスライダ（移動子）を移動させている。そして、１個又は２個いずれの場合もスライダをシャッタ羽根として機能させるとしている。（例えば、特許文献２参照。）
【特許文献１】特開平０４−１１２６８３号公報（［実施例］、第１図）
【特許文献２】特開平０８−２２０５９２号公報（［要約］、図１、［００１１］、図２）
【発明の開示】
【発明が解決しようとする課題】
【０００３】
ところで、特許文献２には、固定子と移動子の配置の対応関係を示しているのみで、移動子をシャッタ羽根として機能させるための具体的構成は示されていない。
しかしながら、そのような移動子をシャッタ羽根つまり遮光幕として実際の製品に適用するに際しては、遮光幕の光軸方向の位置を規制するために、例えば光束を制限する光学的開口部を持った透明なガラス板又は樹脂板等を用い、この透明なガラス板又は樹脂板と帯状電極を備えた基板との間に微小隙間を形成し、この微小隙間に上記の遮光幕を移動可能に挟み込むといった構成が必要となる。
【０００４】
その場合、従来の機械的シャッタ装置の場合であれば、シャッタ幕及びシャッタ装置を構成する部材は、シャッタ装置が組み込まれる機器（例えばカメラ）と機械的に接続されているから、電気的には組み込まれる機器の所定の電位と接続された状態になっている。したがって、シャッタ幕に静電気が発生したとしても機器本体側の電位（通常は接地電位）に通電されるから問題にはならない。
【０００５】
しかし、エレクトレット型又は誘導電荷型のアクチュエータを用いるシャッタ装置のように静電気力を応用したシャッタ装置のシャッタ幕（遮光幕）は、一方では、機械的には基板の帯状電極が形成されている面に摺接しながら移動を繰り返すことになるから遮光幕に静電気が蓄積され、他方では、電気的にはシャッタ装置が組み込まれる機器に対して浮いて離れた状態にあるから、静電気が蓄積された遮光幕がガラス板又は樹脂板に静電気的に吸着して正しい移動動作が出来なくなるといった不具合の発生する虞が多分にある。
【０００６】
本発明の課題は、上記従来の実情に鑑み、エレクトレット型又は誘導電荷型のアクチュエータを用いて静電気により発生する不具合を防止する光量調節装置及びそれを用いたカメラを提供することである。
【課題を解決するための手段】
【０００７】
先ず、第１の発明の光量調節装置は、遮光幕を駆動するための帯状電極及び光学的開口部が設けられた基阪と、予め所望のピッチで電気的に分極されている遮光幕と、光学的開口部を有し上記基板との間に形成する間隙に上記遮光幕を移動可能に維持する板状部材と、を積層して構成される光量調整装置において、上記板状部材は、上記遮光幕に対向する面が導電性を有する面であり且つ所定の電位に固定されて構成される。
【０００８】
上記板状部材は、例えば上記遮光幕の少なくとも移動可能範囲に存在しているように構成され、また、例えば上記導電性を有する面が、光量調節装置が組み込まれる機器の所定の電位に接続されているように構成され、また、例えば上記導電性を有する面が、光量調節装置が組み込まれる機器のグランドに接続されているように構成され、また、例えば光量調節装置が組み込まれる機器の所定の電位又はグランドに接続するための接続部を有して構成され、また、例えば上記光学的開口部以外の面を導電性を有する遮光性部材で覆われたガラス板で構成され、また、例えば上記光学的開口部に透明導電性部材を設けると共に、光学的開口部以外の部分を導電性を有する遮光部材で覆われたガラス薄板で構成され、また、例えば上記光学的開口部を設けた遮光性の導電性樹脂シート部材で構成され、また、例えば上記光学的開口部を設けた金属シート部材で構成される。
【０００９】
また、このように金属シート部材であるときは、金属シート部材には反射防止処理が施されて構成される。
次に、第２の発明のカメラは、上記のいずれかに記載の光量調節装置を光学系のシャッタ位置又は絞り位置に備えて構成される。
【発明の効果】
【００１０】
本発明によれば、光量調節装置において遮光幕が接する部分を導電性材料で形成してその導電性材料で形成した部分を組み込み先の機器の接地に接続するので、遮光幕が静電気により近接部材に吸着して正しく動作しなくなる不具合を回避することができ、これにより、エレクトレット型又は誘導電荷型のアクチュエータを用いて静電気により発生する不具合を防止する光量調節装置及びそれを用いたカメラを提供することが可能になる。
【発明を実施するための最良の形態】
【００１１】
以下、本発明の実施の形態を図面を参照しながら説明する。
【実施例１】
【００１２】
図１(a),(b) は、実施例１の光量調節装置としてのシャッタ装置を備えたレンズ装置が組み込まれるデジタルカメラの概略構成を示す図であり、同図(a) はそのデジタルカメラの前面からの外観を示す斜視図、同図(b) はデジタルカメラ内部の主要部の配置状態を示す斜視図である。
【００１３】
同図(a) に示すように、デジタルカメラ１は、前面右上隅に撮影レンズ窓２を備え、その左方にストロボ照射窓３を備えている。また、上面の左端部にはレリーズボタン４が設けられている。
同図(b) に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１４】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１５】
図２は、図１(b) に示すレンズ装置７のＡ−Ａ´矢視断面をデジタルカメラ１の図１(b) の左方から見た図であり、レンズユニット各部の概略の構成を示している。図１(b) に示したレンズ装置７の内部には、この図２に示すように、上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、及び第２の固定鏡枠部１７にレンズが保持された第２の固定レンズ部１８が備えられている。そして、これらのレンズ部の終端に撮像素子１９が配置されている。
【００１６】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１７】
図３(a) は、図１(b) に示したレンズ装置７をデジタルカメラ１の図１(b) の背面側から見た拡大斜視図であり、図３(b) はそのシャッタ装置を単独に示す図である。図３(a) に示すように、レンズ装置７には、図２に示したシャッタ位置（絞り位置）２０にシャッタ装置２１が組み込まれている。シャッタ装置２１は、図３(b) に示すように、やや矩形の平らな板状体をなす装置であり、図２に示した第２の光軸Ｏ２の透過路となり且つ光束を制限する光学的開口部２２と、この光学的開口部２２に対し矩形の長辺方向に隣接する退避部２３と、この退避部２３とは反対側の端部側面から外部に突設された端子２４を備えている。
【００１８】
このシャッタ装置２１の光学的開口部２２を透過する第２の光軸Ｏ２の終端すなわちレンズ装置７の下端部には、図２にも示した撮像素子１９が配置されている。また、レンズ装置７には、図３(a) に示すように、金属シャーシ２５の図２に示したシャッタ位置（絞り位置）２０の近傍にシャーシ接続端子２６が設けられており、このシャーシ接続端子２６と上記シャッタ装置２１の端子２４とが、リード線２７を介して接続されている。これらの接続は、半田付け又は導電性接着剤等によって行われる。
【００１９】
図４(a) は、上記シャッタ装置２１の分解斜視図であり、同図(b) は、その最上部に示す部材のＢ矢視図である。同図(a) に示すように、シャッタ装置２１は、図の下から示す基板２８、スペーサ２９、遮光幕３１、板状部材３２とで構成される。
基板２８は、透明な部材、例えばガラス板を基材とし、遮光幕３１を駆動するために、遮光幕３１に対向する面の光学的開口部３３と周辺部３４を除いて全面に複数の帯状電極（駆動電極）３５が形成されている。
【００２０】
スペーサ２９は、基板２８と板状部材３２との間に形成される間隙を維持するために設けられており、その一隅に所定の大きさの切り欠き部２９−１が形成されている。
遮光幕３１は、図では定かに見えないが予め所望のピッチで電気的に分極された詳しくは後述するエレクトレットが施されている。このエレクトレットが基板２８の帯状電極３５によって駆動されて、遮光幕３１は、スペーサ２９で囲まれる範囲内を、同図(a) の両方向矢印Ｃで示す両方向に移動する。この遮光幕３１にも一隅に所定の大きさの切り欠き部３１−１が形成されている。
【００２１】
板状部材３２は、透明のガラス板を基材とし、同図(a),(b) に示すように、光学的開口部３６を有し、遮光幕３１に対向する面の上記光学的開口部３６に対応する以外の部分に例えば導電性塗装又は金属蒸着等の導電性を有する遮光部材３７で覆われた遮光処理が施されている。この遮光処理が施され且つ導電性を有する面に上述した端子２４が導電性接着剤で接着されている。
【００２２】
この板状部材３２は、基板２８との間に形成する間隙に遮光幕３１を移動可能に維持するために設けられていると共に、遮光幕３１に発生する静電気を、遮光部材３７、端子２４、図３に示したリード線２７、及びシャーシ接続端子２６を介して、レンズ装置７の金属シャーシ２５に逃がす働きを有している。
【００２３】
レンズ装置７の金属シャーシ２５は、図１(b) に示した回路基盤５に接続されており、デジタルカメラ１の所定の電位又は接地電位に設定されている。つまり、上記の端子２４は、板状部材３２の導電性の遮光部材３７で覆われた面をレンズ装置７の所定の電位又は接地電位に接続するための接続部となっている。
【００２４】
上述したスペーサ２９の切り欠き部２９−１、及び遮光幕３１の切り欠き部３１−１は図４(a) に示す４部材が組み合わされて図３(a),(b) に示したシャッタ装置２１となったとき上記の端子２４の接着部と競合しない（干渉しない）ようにするために形成されている。
【００２５】
また、このようなシャッタ装置２１の構成において、遮光幕３１の囲い内での移動を許容するスペーサ２９を、基板２８との間に挟み込むように組み込まれる板状部材３２の配置は、これを換言すれば、板状部材３２は遮光幕３１の少なくとも移動可能範囲に存在しているということができる。
【００２６】
尚、上記板状部材３２の構成としては、遮光幕３１に対向する面の光学的開口部３６に対応する以外の部分を導電性を有する遮光部材３７で覆う前に、光学的開口部３６よりも若干広い範囲に、例えばＩＴＯ（Indium Tin Oxide）等の光透過性導電性薄幕を予め形成しておき、それから光学的開口部３６を除いた部分に導電性の遮光部材３７を設けることにより、光学的開口部３６も含めてデジタルカメラ１の所定の電位に設定でき、より静電防止効果が期待できる構成とすることができる。
【００２７】
ここで、本例におけるシャッタ装置２１における遮光幕３１を駆動するシャッタ機構の駆動原理を説明する。
図５(a),(b) は、本発明のシャッタ装置２１におけるシャッタ機構の駆動原理を説明する図である。尚、以下の駆動原理の説明では、基板２８に代えて固定子３８と言い、遮光幕３１に代えて移動子３９と言うことにする。
【００２８】
本シャッタ機構は、基本的に固定子３８と移動子３９とを備え、移動子３９は、固定子３８に対して同図(a),(b) に示すように左右方向に移動自在に構成されている。そして、固定子３８には、被写体からの光像を撮像素子（図２、図３の撮像素子１９参照）に導くための開口部（光学的開口４１）が設けられ、更に、複数の帯状電極４２が所定の間隔で並べて形成されている。他方の移動子３９は、遮光性を有する部材であり、永久分極された誘電体の部位を備えている。このような移動子３９の構成はエレクトレットと呼ばれている。
【００２９】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００３０】
上記のシャッタ機構において、帯状電極４２に正負の電圧を周期的に印加すると、帯状電極４２と移動子３９の上記エレクトレットとの間に吸引力又は反発力が発生し、結果的に移動子３９が固定子３８に対して相対移動する。
したがって、移動子３９が固定子３８の開口部（光学的開口４１）を開放又は遮蔽するように移動可能にすることによってシャッタ機構を構成することができる。図５(a) はシャッタが開の状態を示し、同図(b) はシャッタが閉の状態を示している。以下、本構成に係るシャッタ機構を「エレクトレットシャッタ」と称することにする。
【００３１】
なお、固定子３８の開口部（光学的開口４１）は、必ずしも貫通孔のような物理的な開口部とする必要はなく、固定子３８を透過部材とし、開口部に相当する位置に帯状電極４２が設けられていない透過領域を形成するようにしても良い。
図６は、エレクトレットシャッタとその駆動回路を模式的に示す図である。同図は右にエレクトレットシャッタの断面を模式的に示し、左に駆動回路をブロック図で示している。同図に示すように、固定子３８に並べられたそれぞれの帯状電極４２には、駆動（電圧印加）回路４３からの電圧信号線が接続されている。この電圧信号線には４相の電圧信号が印加され、従って、帯状電極４２には、４本毎に同一の電圧信号が印加される。図６では、帯状電極４２にＡ、Ｂ、Ｃ、Ｄの符号を付してこの電圧信号を区別している。
【００３２】
この固定子３８の帯状電極４２の配設面に対向して移動子３９が配置されている。移動子３９には、固定子３８との対向面に永久分極された上述した誘電体（エレクトレット）４４を複数備えている。
同図の左に示す駆動回路４３では、パルス発生回路４５で矩形波列（駆動パルス信号）が生成され、この駆動パルス信号が昇圧回路４６と位相器４７に供給される。昇圧回路４６では、入力した駆動パルス信号を１００Ｖ程度まで昇圧するとともに、２つの極性を有する電圧信号に分岐して、帯状電極Ａ及びＣに供給する。
【００３３】
他方、位相器４７に入力した駆動パルス信号は、９０°位相が遅れた波形となり、その後、昇圧回路４６に入力されて、上述と同様の２つの極性を有する電圧信号に分岐されて帯状電極Ｂ及びＤに供給される。
図７は、駆動回路４３によって生成されて帯状電極４２に印加される電圧信号列を示す図である。帯状電極４２の電圧の状態は、期間Ｔにおけるｔ１〜ｔ４の４つの状態変化が時間ｔにおける期間Ｔごとの経過に対応して繰り返される。
【００３４】
図８は、上記のエレクトレットシャッタの動作を更に説明する図である。同図(a) は図７において各帯状電極４２（Ａ，Ｂ，Ｃ，Ｄ）の電圧状態が、図７に示したｔ１の印加電圧の状態に切り替った直後のエレクトレットと帯状電極との対応関係を示している。
エレクトレット４４ａは、帯状電極Ａから反発力を受け、帯状電極Ｂから吸引力を受ける。また、エレクトレット４４ｂは、帯状電極Ｃから反発力を受け、帯状電極Ｄから吸引力を受ける。このため、移動子３９は図の右方向に力を受けて、１つの帯状電極ピッチｄだけ移動する。
【００３５】
図８(b) は、上記に続いて図７に示したｔ２の印加電圧の状態に切り替った直後のエレクトレットと帯状電極との対応関係を示している。エレクトレット４４ａは、帯状電極Ｂから反発力を受け、帯状電極Ｃから吸引力を受ける。また、エレクトレット４４ｂは、帯状電極Ｄから反発力を受け、帯状電極Ａから吸引力を受ける。このため、移動子３９は図の右方向に力を受けて、再び１つの帯状電極ピッチｄだけ移動する。
【００３６】
図８(c) は、上記に続いて図７に示したｔ３の印加電圧の状態に切り替った直後のエレクトレットと帯状電極との対応関係を示し、図８(d) は、同図(c) に続いて図７に示したｔ４の印加電圧の状態に切り替った直後のエレクトレットと帯状電極との対応関係を示している。図８(a),(b) で説明した動作と同様に、移動子３９は、１つの帯状電極ピッチｄだけ順次移動する。
【００３７】
そして、この動作が繰り返されることにより、移動子３９は図の右方向に移動する。なお、移動子３９を図の左方向に移動するためには、帯状電極４２に印加する電圧の極性を逆に切り替えればよい。
このように、本例の移動子３９は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例２】
【００３８】
図９は、実施例２としてのシャッタ装置の分解斜視図である。同図に示す本例のシャッタ装置４８において、基板４９は、図４に示したシャッタ装置２１の基板２８と同一の構成である。また、本例のシャッタ装置４８におけるスペーサ５１及び遮光幕５２は、切り欠き部が無い点を除いて、図４に示したシャッタ装置２１のスペーサ２９及び遮光幕３１と同様の構成である。
【００３９】
そして、本例のシャッタ装置４８における板状部材５３は、光学的開口部５４を設けた遮光性の導電性樹脂シート部材５５で構成される。光学的開口部５４は遮光性の導電性樹脂シート部材５５を貫通して形成された物理的な開口である。
また、遮光性の導電性樹脂シート部材５５としては、例えばソマブラック（登録商標）フイルム（品番：ソマＢ−Ｈ５０ＭＤＥＤ、ソマール株式会社製、ＥＤは導電性の意）などが適切である。
【００４０】
この場合、板状部材５３は全体が導電性であるので、端子２４はスペーサ５１や遮光幕５２と競合（干渉）しないように、板状部材５３の、図９の４部材を組み付けた後の外側となる面の端部に、導電性接着剤等により取り付けられる。この場合も端子２４は、実施例１の場合と同様に、レンズ装置７に接続され、デジタルカメラ１の所定の電位に設定される。
【実施例３】
【００４１】
図１０は、実施例２としての絞り装置の分解斜視図である。同図に示す絞り装置５６は、図の下から示す基板５７、スペーサ５８、遮光幕５９、及び板状部材６０とで構成される。同図に示す基板５７及びスペーサ５８は、図９に示した基板４９及びスペーサ５１の構成と同一である。
【００４２】
遮光幕５９は、絞りを形成するものであり、その中央部に、板状部材６０の光学的開口部６１の径よりも小さい径の光学的開口部６２が形成されている点を別にすれば、図９に示した遮光幕５２と同様の構成である。
本例の板状部材６０は、金属シート部材６３を基材として構成されており、この場合も上記の光学的開口部６１は、金属シート部材６３を貫通して形成された物理的な開口である。また、この金属シート部材６３は、後述する端子２４を除き、例えば黒色の塗装又はめっき等により反射防止処理が施されている。
【００４３】
また、この板状部材６０の端子２４は金属シート部材６３から一体に延設されて形成されている。この場合も、端子２４はレンズ装置７に接続されており、デジタルカメラ１の所定の電位に設定されている。
尚、この絞り装置の駆動原理も、図５乃至図８で説明したシャッタ装置の駆動原理と同一である。
【実施例４】
【００４４】
図１１は、実施例４としてのレンズシャッタ装置の分解斜視図である。同図に示すように、レンズシャッタ装置６４は、図の左から示す第１の基板６５、第１のスペーサ６７、第１の遮光幕６８、板状部材６９、第２の遮光幕７１、第２のスペーサ７２、及び第２の基板７３とで構成される。この構成の各部材は、中央に配置される板状部材６９の光学的開口部７４の中心点に対し点対称に形成されている。
【００４５】
第１の基板６５は、例えばガラス板のような透明な部材からなり、光学的開口部７５と遮光幕非移動部７６を除く内側面全面に帯状電極７７が設けられている。第２の基板７３も同様にガラス板のような透明な部材からなり、第１の基板６５に対し、板状部材６９の光学的開口部７４の中心点に対し点対称の形状で、光学的開口部７８と遮光幕非移動部７９を除く内側面全面に帯状電極８１が設けられている。
【００４６】
第１のスペーサ６７は、第１の基板６５と板状部材６９との間に第１の遮光幕６８が移動可能な間隙を維持するために配置されている。第２のスペーサ７２も同様に、第２の基板７３と板状部材６９との間に第２の遮光幕７１が移動可能な間隙を維持するために配置されている。
【００４７】
第１及び第２の遮光幕６８及び７１は、図５乃至図８で説明した移動子３９と同様に、予め所望のピッチで電気的に分極されたエレクトレツトが施されており、板状部材６９を挟んで相互に重なる部分が、板状部材６９の光学的開口部７４の中心点に対し点対称の形状で、三角状に切り欠かれて形成されている。
【００４８】
これにより、撮影開始前の設定移動によって三角の谷６８−１と谷７１−１との距離を調節することで、所望の大きさの光学的開口を得ることができるものとなっている。
本例における上記の板状部材６９は、金属シートを基材とし、光束を制限するために穿設により物理的に形成された上記の光学的開口部７４、及び基材と一体に端部から直角に折り曲げて突設された端子部８２を備えている。端子部８２は、この場合もレンズ装置に接続され、デジタルカメラ１の所定の電位に設定される。
【００４９】
図１２(a) は、上記のレンズシャッタ装置６４が組み込まれるレンズ装置７´を図１(b) に示したデジタルカメラ１の背面側から見た拡大斜視図であり、図１２(b) はそのレンズシャッタ装置６４を単独に示す図である。尚、同図(a) はレンズシャッタ装置６４とレンズ装置７´の金属シャーシ２５との接続形態を示しており、図３(a) に示した構成と同一の構成部分には図３(a) と同一の番号を付与して示している。
【００５０】
図１２(a) に示すように、レンズ装置７´には、シャッタ（絞り）位置に、図１１に示したレンズシャッタ装置６４が組み込まれている。このレンズシャッタ装置６４は、図１１に示したように２枚の遮光幕６８及び７１を有する絞りシャッタであるため、矩形の長手方向が図３(a),(b) のシャッタ装置２１の場合よりも長くなっている。
【００５１】
このため、組み込み時には、レンズシャッタ装置６４本体部だけでレンズ装置７´の金属シャーシ２５の枠幅いっぱいの大きさとなるため、上記のように端子部８２をレンズシャッタ装置６４本体端部から直角に折り曲げた形状として、端子部８２が金属シャーシ２５内に収まるようにしている。この状態で、シャーシ接続端子２６と上記レンズシャッタ装置６４の端子部８２とが、リード線２７を介して、半田付け又は導電性接着剤等によって接続されている。
【００５２】
また、上記のようにレンズシャッタ装置６４本体部だけでレンズ装置７´の金属シャーシ２５の枠幅いっぱいの大きさとなるため、各移動鏡枠の移動をガイドするガイドシャフトが２分され、ガイドシャフト８３−１、８３−２となっている。上のガイドシャフト８３−１は図の上方で片持ち状態で第１の固定鏡枠部８に支持され、下のガイドシャフト８３−２は図の下方で片持ち状態で第２の固定鏡枠部１７に支持されている。
【００５３】
尚、本実施例では板状部材６９を金属シートにより構成したが、実施例１又は２のように、板ガラス又は導電性樹脂シートにより構成することもできる。その場合は、別体の端子を導電性接着剤で板状部材に貼り付けるとよい。
また、上述した実施例１〜４では、スペーサを額縁形状としているが、基板と板状部材との間隔を、遮光幕が移動可能なように維持できれば、額縁形状に限定されるものではない。例えば、コの字形状やニの字形状の配置としてもよい。あるいは、組み立て治具等により、スペ−サなしで基板と板状部材との間隔を維持できれば、スペーサを削除できることは言うまでもない。
【図面の簡単な説明】
【００５４】
【図１】(a),(b) は実施例１の光量調節装置としてのシャッタ装置を備えたレンズ装置が組み込まれるデジタルカメラの概略構成を示す図である。
【図２】実施例１に係わるレンズ装置のＡ−Ａ´矢視断面をデジタルカメラの左方から見てレンズユニット各部の概略の構成を示す図である。
【図３】(a) は実施例１に係わるレンズ装置をデジタルカメラの背面側から見た拡大斜視図、(b) はそのシャッタ装置を単独に示す図である。
【図４】(a) は実施例１のシャッタ装置の分解斜視図、(b) はその最上部に示す部材のＢ矢視図である。
【図５】(a),(b) は本発明のシャッタ装置におけるシャッタ機構の駆動原理を説明する図である。
【図６】エレクトレットシャッタとその駆動回路を模式的に示す図である。
【図７】エレクトレットシャッタの駆動回路によって生成されて帯状電極に印加される電圧信号列を示す図である。
【図８】エレクトレットシャッタの動作を更に説明する図である。
【図９】実施例２としてのシャッタ装置の分解斜視図である。
【図１０】実施例３としての絞り装置の分解斜視図である。
【図１１】実施例４としてのレンズシャッタ装置の分解斜視図である。
【図１２】(a) は実施例４のレンズシャッタ装置とレンズ装置の金属シャーシとの接続形態を示す図、(b) はそのレンズシャッタ装置を単独に示す図である。
【符号の説明】
【００５５】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１    シャッタ装置
２２    光学的開口部
２３    退避部
２４    端子
２５    金属シャーシ
２６    シャーシ接続端子
２７    リード線
２８    基板
２９    スペーサ
２９−１  切り欠き部
３１    遮光幕
３１−１  切り欠き部
３２    板状部材
３３    光学的開口部
３４    周辺部
３５    帯状電極（駆動電極）
３６    光学的開口部
３７    遮光部材
３８    固定子
３９    移動子
４１    光学的開口
４２    帯状電極（駆動電極）
４３    駆動回路
４４    誘電体（エレクトレット）
４５    パルス発生回路
４６    昇圧回路
４７    位相器
４８    シャッタ装置
４９    基板
５１    スペーサ
５２    遮光幕
５３    板状部材
５４    光学的開口部
５５    遮光性導電性樹脂シート部材
５６    レンズシャッタ装置
５７    基板
５８    スペーサ
５９    遮光幕
６０    板状部材
６１    光学的開口部
６２    光学的開口部
６３    金属シート部材
６４    レンズシャッタ装置
６５    第１の基板
６６    第１のスペーサ
６８    第１の遮光幕
６９    板状部材
７１    第２の遮光幕
７２    第２のスペーサ
７３    第２の基板
７４、７５、７８  光学的開口部
７６、７９  遮光幕非移動部
７７、８２  帯状電極（駆動電極）
８３−１、８３−２  ガイドシャフト
【図１】
2005316327.tif 000003
【図２】
2005316327.tif 000004
【図３】
2005316327.tif 000005
【図４】
2005316327.tif 000006
【図５】
2005316327.tif 000007
【図６】
2005316327.tif 000008
【図７】
2005316327.tif 000009
【図８】
2005316327.tif 000010
【図９】
2005316327.tif 000011
【図１０】
2005316327.tif 000012
【図１１】
2005316327.tif 000013
【図１２】
2005316327.tif 000014